(57)【要約】【課題】落水した田圃に直接播いた種籾が、水を張った後においても、浮き上がりや根上がりを起こすことのない均平板装置及び種籾直播機並びに播種直播移動装置を提供する。【解決手段】前後方向に複数設けたフロート３の前端部下面に、田圃の地表面Ｅを均す均平板２１を左右方向に架設し、複数のフロート３の前後方向略中間部上方に、当該複数のフロート３間の解放部Ｐに種籾を落下させる種籾ホッパー１１を設け、複数のフロート３の後端部の前記解放部Ｐに、当該解放部Ｐに播かれた種籾を上から擦って地中に埋め込む擦込みシート２４または擦込板２８を設ける。【選択図】      図１
2006042603.tif 000002
【特許請求の範囲】
【請求項１】
稲の種籾（Ｓ）を，落水した田圃に直播きすべく，農業用動力移動機（２）の後端部に取付ける種籾直播機であって、
前後方向に複数設けたフロート（３）の前端部下面に，田圃の地表面（Ｅ）を均す均平板（２１）を左右方向に架設し、
前記複数のフロートの前後方向略中間部上方に，該複数のフロート間の解放部（Ｐ）に種籾を落下させる種籾ホッパー（１１）を設け、
前記複数のフロートの後端部の前記解放部に，該解放部に播かれた種籾を上から擦って地中に埋め込む擦込みシート（２４）または擦込板（２８）を設けたことを特徴とする種籾直播機。
【請求項２】
稲の種籾（Ｓ）を，落水した田圃に直播きすべく，農業用動力移動機（２）の後端部に取付ける種籾直播機であって、
前後方向に複数設けたフロート（３）の前端部下面に，田圃の地表面（Ｅ）を均す均平板（２１）を左右方向に架設し、
前記複数のフロートの前後方向略中間部上方に，該複数のフロート間の解放部（Ｐ）に種籾を落下させる種籾ホッパー（１１）を設け、
前記複数のフロートの後端部の前記解放部に，該解放部に播かれた種籾を上から擦って地中に埋め込む擦込板（２８）を設けてなり、
前記擦込板を，側面円弧状の弾性材で形成し，その前端部を，前記複数のフロートの後端部に左右方向に架設した横軸（２９）に固定し，前記種籾を擦る部分である後端擦込部（１４ａ）を，前記横軸より後方に左右方向に架設した横桁（３０）に挿通する縦ボルト（３１）の下端部に固定し，前記縦ボルトの前記横桁より上位に調整ナット（３３）を螺合すると共に，前記横桁より下位に前記後端擦込部を下方に付勢する渦巻きバネ（３２）を嵌装し，前記後端擦込部を上下位置変更自在にして設けたことを特徴とする種籾直播機。
【請求項３】
稲の種籾（Ｓ）を，落水した田圃に直播きすべく，農業用動力移動機（２）の後端部に取付ける種籾直播機（１０）を構成する均平板装置であって、田圃の地表面（Ｅ）を均すべく左右方向に設けた均平板（２１）の後端部に，複数の切込み凹部（２２）を形成し、前記切込み凹部を囲むようにして播種誘導枠（２３）を立設し、前記播種誘導枠に，該播種誘導枠を通して播かれた種籾を，上から擦って地中に埋込む擦込みシート（２４）または擦込板（２８）を設けたことを特徴とする種籾直播用均平板装置。
【請求項４】
稲の種籾（Ｓ）を，落水した田圃に直播きすべく，農業用動力移動機（２）の後端部に取付ける種籾直播機（１０）であって、田圃の地表面（Ｅ）を均す均平板（２１）を左右方向に設け、前記均平板の後端部に複数の切込み凹部（２２）を形成し、前記切込み凹部を囲むようにして播種誘導枠（２３）を立設し、前記均平板の上方に種籾ホッパー（１１）を設け、前記播種誘導枠に，前記種籾ホッパーから前記播種誘導枠を通して播かれた種籾を，上から擦って地中に埋込む擦込みシート（２４）または擦込板（２８）を設けたことを特徴とする種籾直播機。
【請求項５】
稲の種籾（Ｓ）を，落水した田圃に直播きすべく，農業用動力移動機（２）のフロート（３）の下側に，または該フロートを排除した状態で、種籾直播機（１０）の均平板（２１）を取付けた種籾直播移動装置であって、前記種籾直播機を、田圃の地表面（Ｅ）を均す前記均平板を左右方向に設け、前記均平板の後端部に複数の切込み凹部（２２）を形成し、前記切込み凹部を囲むようにして播種誘導枠（２３）を立設し、前記均平板の上方に種籾ホッパー（１１）を設け、前記播種誘導枠に，前記種籾ホッパーから前記播種誘導枠を通して播かれた種籾を，上から擦って地中に埋込む擦込みシート（２４）または擦込板（２８）を設けて構成したことを特徴とする種籾直播移動装置。
【請求項６】
稲の種籾（Ｓ）を，落水した田圃に直播きすべく，農業用動力移動機（２）の後端部に取付ける種籾直播機（１０）を構成する均平板装置であって、田圃の地表面（Ｅ）を均すべく左右方向に設けた均平板（２１）の後端部に，複数の切込み凹部（２２）を形成し、前記切込み凹部を囲むようにして播種誘導枠（２３）を立設し、前記播種誘導枠に，該播種誘導枠を通して播かれた種籾を，上から擦って地中に埋込む擦込板（２８）を設け、
前記擦込板の前端部を，播種誘導枠（２３）に左右に架設した支持棒（３５）で回動自在に支持し、
前記擦込板の中間部から縦棒（３６）を揺動自在に立設し，前記縦棒の上部を，前記播種誘導枠に左右に架設した支持プレート（３７）の挿通孔（３７ａ）に挿通し、
前記擦込板が軽量の場合には，前記縦棒の，前記擦込板と支持プレートとの間に，前記擦込板を下方に押圧するバネ材（３８）を嵌装してなる種籾直播用均平板装置。
【請求項７】
稲の種籾（Ｓ）を，落水した田圃に直播きすべく，農業用動力移動機（２）の後端部に取付ける種籾直播機（１０）であって、田圃の地表面（Ｅ）を均す均平板（２１）を左右方向に設け、前記均平板の後端部に複数の切込み凹部（２２）を形成し、前記切込み凹部を囲むようにして播種誘導枠（２３）を立設し、前記均平板の上方に種籾ホッパー（１１）を設け、前記播種誘導枠に，前記種籾ホッパーから前記播種誘導枠を通して播かれた種籾を，上から擦って地中に埋込む擦込板（２８）を設け、
前記擦込板の前端部を，播種誘導枠（２３）に左右に架設した支持棒（３５）で回動自在に支持し、
前記擦込板の中間部から縦棒（３６）を揺動自在に立設し、
前記縦棒の上部を，前記播種誘導枠に左右に架設した支持プレート（３７）の挿通孔（３７ａ）に挿通し、
前記擦込板が軽量の場合には，前記縦棒の，前記擦込板と支持プレートとの間に，前記擦込板を下方に押圧するバネ材（３８）を嵌装してなる種籾直播機。
【請求項８】
稲の種籾（Ｓ）を，落水した田圃に直播きすべく，農業用動力移動機（２）のフロート（３）の下側に，または該フロートを排除した状態で、種籾直播機（１０）の均平板（２１）を取付けた種籾直播移動装置であって、前記種籾直播機を、田圃の地表面（Ｅ）を均す前記均平板を左右方向に設け、前記均平板の後端部に複数の切込み凹部（２２）を形成し、前記切込み凹部を囲むようにして播種誘導枠（２３）を立設し、前記均平板の上方に種籾ホッパー（１１）を設け、前記播種誘導枠に，前記種籾ホッパーから前記播種誘導枠を通して播かれた種籾を，上から擦って地中に埋込む擦込板（２８）を設けて構成し、
擦込板（２８）の前端部を，播種誘導枠（２３）に左右に架設した支持棒（３５）で回動自在に支持し、
前記擦込板の中間部から縦棒（３６）を揺動自在に立設し、
前記縦棒の上部を，前記播種誘導枠に左右に架設した支持プレート（３７）の挿通孔（３７ａ）に挿通し、
前記擦込板が軽量の場合には，前記縦棒の，前記擦込板と支持プレートとの間に，前記擦込板を下方に押圧するバネ材（３８）を嵌装してなる種籾直播移動装置。
【発明の詳細な説明】
【技術分野】
【０００１】
本発明は、稲の種籾を、直接、落水した田圃に播くことのできる種籾直播用均平板装置、その均平板装置を備えた種籾直播機、及び当該種籾直播機を備えた種籾直播移動装置に関するものである。
【背景技術】
【０００２】
稲は、一般に、田圃とは別の場所に種籾を播いて苗に育て、その苗を田圃に植え付けて発育させている。
【０００３】
この場合、種籾を播いて苗に育てる作業と、その苗を田圃に植え付ける作業の両方を必要とする。これを、種籾を、落水した状態の田圃に直接播いて、そのまま稲に育てることができれば、作業を大幅に削減することができるので便利である。
【発明の開示】
【発明が解決しようとする課題】
【０００４】
しかし、代掻きした田圃は、落水しても完全に水を排除することはできず、至る所に水たまりができる。従って、その水たまりに種籾を播くと、種籾は浮き上がり、水面上で移動する。また、代掻きした田圃の地表面は硬軟があるため、その上に種籾を播いただけでは地表面に密着する度合いが異なる。種籾を田圃の地表面に均等かつ適度に密着させないと、浮き苗、根上がり苗、あるいは不発芽の原因となり、稲の良好な生育の妨げとなる。
【０００５】
本発明はこうした問題に鑑み創案されたもので、落水した田圃に直接播いた種籾が、水を張った後においても、浮き上がりや根上がりを起こすことのない種籾直播用均平板装置及び種籾直播機並びに播種直播移動装置を提供することを課題とする。
【課題を解決するための手段】
【０００６】
図１乃至図１０を参照して説明する。請求項１に記載の発明に係る種籾直播機は、稲の種籾Ｓを、落水した田圃に直播きすべく、農業用動力移動機２の後端部に取付ける種籾直播機であって、前後方向に複数設けたフロート３の前端部下面に、田圃の地表面Ｅを均す均平板２１を左右方向に架設し、前記複数のフロート３の前後方向略中間部上方に、当該複数のフロート３間の解放部Ｐに種籾を落下させる種籾ホッパー１１を設け、  前記複数のフロート３の後端部の前記解放部Ｐに、当該解放部Ｐに播かれた種籾を上から擦って地中に埋め込む擦込みシート２４または擦込板２８を設けたことを特徴とするものである。
【０００７】
請求項２に記載の発明に係る種籾直播機は、稲の種籾Ｓを、落水した田圃に直播きすべく、農業用動力移動機２の後端部に取付ける種籾直播機であって、前後方向に複数設けたフロート３の前端部下面に、田圃の地表面Ｅを均す均平板２１を左右方向に架設し、前記複数のフロート３の前後方向略中間部上方に、当該複数のフロート３間の解放部Ｐに種籾を落下させる種籾ホッパー１１を設け、  前記複数のフロート３の後端部の前記解放部Ｐに、当該解放部Ｐに播かれた種籾を上から擦って地中に埋め込む擦込板２８を設けてなり、前記擦込板２８を、側面円弧状の弾性材で形成し、その前端部を、前記複数のフロート３の後端部に左右方向に架設した横軸２９に固定し、前記種籾を擦る部分である後端擦込部１４ａを、前記横軸より後方に左右方向に架設した横桁３０に挿通する縦ボルト３１の下端部に固定し、前記縦ボルトの前記横桁より上位に調整ナット３３を螺合すると共に、前記横桁より下位に前記後端擦込部を下方に付勢する渦巻きバネ３２を嵌装し、前記後端擦込部を上下位置変更自在にして設けたことを特徴とするものである。
【０００８】
請求項３に記載の発明に係る種籾直播用均平板装置２０は、稲の種籾Ｓを、落水した田圃に直播きすべく、農業用動力移動機２の後端部に取付ける種籾直播機１０を構成するものであって、田圃の地表面Ｅを均すべく左右方向に設けた均平板２１の後端部に、複数の切込み凹部２２を形成し、前記切込み凹部２２を囲むようにして播種誘導枠２３を立設し、前記播種誘導枠２３に、当該播種誘導枠２３を通して播かれた種籾Ｓを、上から擦って地中に埋込む擦込みシート２４または擦込板２８を設けたことを特徴とするものである。
【０００９】
請求項４に記載の発明に係る種籾直播機１０は、稲の種籾Ｓを、落水した田圃に直播きすべく、農業用動力移動機２の後端部に取付けるものであって、田圃の地表面Ｅを均す均平板２１を左右方向に設け、前記均平板２１の後端部に複数の切込み凹部２２を形成し、前記切込み凹部２２を囲むようにして播種誘導枠２３を立設し、前記均平板２１の上方に種籾ホッパー１１を設け、前記播種誘導枠２３に、前記種籾ホッパー１１から前記播種誘導枠２３を通して播かれた種籾Ｓを、上から擦って地中に埋込む擦込みシート２４または擦込板２８を設けたことを特徴とするものである。
【００１０】
請求項５に記載の発明に係る種籾直播移動装置１は、稲の種籾Ｓを、落水した田圃に直播きすべく、農業用動力移動機２のフロート３の下側に、または当該フロート３を排除した状態で、種籾直播機１０の均平板２１を取付けたものであって、前記種籾直播機１０を、田圃の地表面Ｅを均す前記均平板２１を左右方向に設け、前記均平板２１の後端部に複数の切込み凹部２２を形成し、前記切込み凹部２２を囲むようにして播種誘導枠２３を立設し、前記均平板２１の上方に種籾ホッパー１１を設け、前記播種誘導枠２３に、前記種籾ホッパー１１から前記播種誘導枠２３を通して播かれた種籾Ｓを、上から擦って地中に埋込む擦込みシート２４または擦込板２８を設けて構成したことを特徴とするものである。
【００１１】
請求項６に記載の発明に係る種籾直播用均平板装置は、稲の種籾Ｓを、落水した田圃に直播きすべく、農業用動力移動機２の後端部に取付ける種籾直播機１０を構成する均平板装置であって、田圃の地表面Ｅを均すべく左右方向に設けた均平板２１の後端部に、複数の切込み凹部２２を形成し、前記切込み凹部を囲むようにして播種誘導枠２３を立設し、前記播種誘導枠に、該播種誘導枠を通して播かれた種籾を、上から擦って地中に埋込む擦込板２８を設け、前記擦込板の前端部を、播種誘導枠２３に左右に架設した支持棒３５で回動自在に支持し、前記擦込板の中間部から縦棒３６を揺動自在に立設し、前記縦棒の上部を、前記播種誘導枠に左右に架設した支持プレート３７の挿通孔３７ａに挿通し、前記擦込板が軽量の場合には、前記縦棒の、前記擦込板と支持プレートとの間に、前記擦込板を下方に押圧するバネ材３８を嵌装してなるものである。
【００１２】
請求項７に記載の発明に係る種籾直播機は、稲の種籾Ｓを、落水した田圃に直播きすべく、農業用動力移動機２の後端部に取付ける種籾直播機１０であって、田圃の地表面Ｅを均す均平板２１を左右方向に設け、前記均平板の後端部に複数の切込み凹部２２を形成し、前記切込み凹部を囲むようにして播種誘導枠２３を立設し、前記均平板の上方に種籾ホッパー１１を設け、前記播種誘導枠に、前記種籾ホッパーから前記播種誘導枠を通して播かれた種籾を、上から擦って地中に埋込む擦込板２８を設け、前記擦込板の前端部を、播種誘導枠２３に左右に架設した支持棒３５で回動自在に支持し、前記擦込板の中間部から縦棒３６を揺動自在に立設し、前記縦棒の上部を、前記播種誘導枠に左右に架設した支持プレート３７の挿通孔３７ａに挿通し、前記擦込板が軽量の場合には、前記縦棒の、前記擦込板と支持プレートとの間に、前記擦込板を下方に押圧するバネ材３８を嵌装してなるものである。
【００１３】
請求項８に記載の発明に係る種籾直播移動装置は、稲の種籾Ｓを、落水した田圃に直播きすべく、農業用動力移動機２のフロート３の下側に、または該フロートを排除した状態で、種籾直播機１０の均平板２１を取付けた種籾直播移動装置であって、前記種籾直播機を、田圃の地表面Ｅを均す前記均平板を左右方向に設け、前記均平板の後端部に複数の切込み凹部２２を形成し、前記切込み凹部を囲むようにして播種誘導枠２３を立設し、前記均平板の上方に種籾ホッパー１１を設け、前記播種誘導枠に、前記種籾ホッパーから前記播種誘導枠を通して播かれた種籾を、上から擦って地中に埋込む擦込板２８を設けて構成し、擦込板２８の前端部を、播種誘導枠２３に左右に架設した支持棒３５で回動自在に支持し、前記擦込板の中間部から縦棒３６を揺動自在に立設し、前記縦棒の上部を、前記播種誘導枠に左右に架設した支持プレート３７の挿通孔３７ａに挿通し、前記擦込板が軽量の場合には、前記縦棒の、前記擦込板と支持プレートとの間に、前記擦込板を下方に押圧するバネ材３８を嵌装してなるものである。
【発明の効果】
【００１４】
請求項１に記載の種籾直播機１０は、落水した田圃に播いた種籾Ｓが、水を張った後、浮き上がりや根上がりを生じさせることがない。すなわち、フロート３の前端部下面に設けた均平板２１が、種籾Ｓを播くに先だって、田圃の地表面Ｅを平ら面とする。そして、その上に、種籾ホッパー１１から種籾Ｓを解放部Ｐ（地表面Ｅ）に落下させて播いた後、擦込板２８によってその種籾Ｓを上から擦りつけて地中に擂り込む。これにより、全ての種籾Ｓを良好な状態に直播きすることができるので、稲作に要する作業を大幅に削減することができる。
【００１５】
請求項２に記載の種籾直播機１０は、請求項１に記載の発明と同様に、種籾Ｓを、落水した田圃に良好な状態に直播きすることができる。また、擦込板２８の種籾Ｓを擦って地中に埋め込む部分である後端擦込部１４ａを、上下位置変更自在に設定しているので、種籾Ｓを適度な深さ擂りに込むことができる。これにより、田圃の土質や種籾Ｓの種類に応じて押し込み深さを調節することができるので、あらゆる種類の種籾Ｓを良好に発育させることができる。
【００１６】
請求項３に記載の種籾直播用均平板装置２０は、田圃の地表面Ｅを均すべく左右方向に設けた均平板２１の後端部に、複数の切込み凹部２２を形成し、その切込み凹部２２を囲むようにして播種誘導枠２３を立設し、さらに、その播種誘導枠２３に、当該播種誘導枠２３を通して播かれた種籾Ｓを、上から擦って地中に埋込む擦込みシート２４を設けたので、落水した田圃に播いた種籾Ｓが、水を張った後においても、浮き上りや根上がりを起こさない。
【００１７】
すなわち、均平板２１が、種籾Ｓを播くに先立って、田圃の地表面Ｅを平ら面とすると同時に水を排除する。そして、その上に、種籾Ｓを、種籾ホッパー１１等から播種誘導枠２３を通して地表面Ｅに播いた後、擦込みシート２４によって直ちに上から擦り付けるようにして地中に埋め込む。これにより、全ての種籾Ｓを、地中に良好な状態で直播きすることができるので、種籾Ｓの浮き上がりや根上がりを防止できる。また、稲作に要する作業を大幅に削減できる。
【００１８】
請求項４に記載の種籾直播機１０も、請求項１に記載の発明と同様に、均平板装置２０のはたらきによって、落水した田圃に種籾ホッパー１１から播いた種籾Ｓが、水を張った後においても、浮き上りや根上がりを起こさない。また、この種籾直播機１０は、種籾ホッパー１１を備えているので、種籾Ｓを自動的に直播することができ、作業のさらなる軽減化を図ることができる。
【００１９】
請求項５に記載の種籾直播移動装置１も、均平板装置２０のはたらきによって、種籾Ｓが浮き上がりや根上がりを起こすことがない。また、この種籾直播移動装置１は、種籾直播機１０を、フロート３の下位に取付けるので、既存の田植機などを利用して製造することができ、従って製造が容易となる。
【００２０】
請求項６に記載の種籾直播用均平板装置２０は、擦込板２８の前端部を播種誘導枠２３に左右に架設した支持棒３５で回動自在に支持し、当該擦込板２８の中間部から縦棒３６を揺動自在に立設し、前記縦棒３６の上部を、前記播種誘導枠２３に左右に架設した支持プレート３７の挿通孔３７ａに挿通したので、バネ材３８を設けない場合は、擦込板２８を、自重によって、その前端部を軸として上下方向に自在に回動させることができる。これにより、田圃の地表面Ｅを平滑に均すことができると共に、播かれた種籾Ｓを地中に確実に埋め込むことができる。
【００２１】
また、擦込板２８が軽量で、その自重のみで、地表面Ｅを良好に均すことができず、また、播かれた種籾Ｓを地中に確実に埋め込むことができない場合には、縦棒３６の、擦込板２８と支持プレート３７との間にバネ材３８を設けるが、それにより、当該バネ材３８の弾力によって擦込板２８を下方に強く押圧するので、田圃の地表面Ｅを円滑に均すことができると共に、種籾Ｓを地中に確実に埋め込むことができる。
【００２２】
請求項７に記載の種籾直播機１０は、擦込板２８の前端部を播種誘導枠２３に左右に架設した支持棒３５で回動自在に支持し、当該擦込板２８の中間部から縦棒３６を揺動自在に立設し、前記縦棒３６の上部を、前記播種誘導枠２３に左右に架設した支持プレート３７の挿通孔３７ａに挿通したので、バネ材３８を設けない場合は、擦込板２８の自重によって地表面Ｅを均し、種籾Ｓを地中に埋め込むことができる。また、バネ材３８を設けた場合は、その弾力によって、地表面Ｅをより円滑に均すことができると共に、種籾Ｓを地中に確実に埋め込むことができる。
【００２３】
請求項８に記載の種籾直播移動装置１は、擦込板２８の前端部を播種誘導枠２３に左右に架設した支持棒３５で回動自在に支持し、当該擦込板２８の中間部から縦棒３６を揺動自在に立設し、前記縦棒３６の上部を、前記播種誘導枠２３に左右に架設した支持プレート３７の挿通孔３７ａに挿通したので、請求項６および７に記載の発明と同様に、バネ材３８を設けない場合は、擦込板２８の自重によって地表面Ｅを均し、種籾Ｓを地中に埋め込むことができる。また、バネ材３８を設けた場合は、その弾力によって、地表面Ｅをより円滑に均すことができ、また、種籾Ｓを地中に確実に埋め込むことができる。
【発明を実施するための最良の形態】
【００２４】
本発明に係る種籾直播機１０の第一実施形態を、図１乃至図３に示す。これは、稲の種籾Ｓを、落水した田圃に直播きすべく、農業用トラクター等の農業用動力移動機２の後端部に取付けるものであり、均平板２１、種籾ホッパー１１および擦込板２８を備えることを特徴としている。
【００２５】
均平板２１は、前後方向に三本設けたフロート３の前端部下面に左右方向に架設したものであり、田圃の地表面Ｅを均一に均す役目を担う。種籾ホッパー１１は、複数のフロート３の前後方向の略中間部上方に設けられ、当該三本のフロート３間に形成される解放部Ｐに種籾Ｓを落下させるものである。また、擦込板２８は、複数のフロート３後端部の解放部Ｐに配置され、その解放部Ｐに播かれた種籾Ｓを上から擦って地中に押し込むはたらきをする。
【００２６】
なお、本実施形態においては、擦込板２８を、弾性金属板を湾曲させて側面円弧状とし、その前端部を、複数のフロート３後端部に左右方向に架設した横軸２９に固定している。横軸２９は、Ｌ型鋼を横設して形成した支持部材３４で支持している。また、擦込板２８のうち、種籾Ｓを擦る部分である後端擦込部１４ａを、横軸２９より後方に左右方向に架設した横桁３０に挿通する縦ボルト３１の下端部に固定し、縦ボルト３１の横桁３０から上方に突出している上端部に調整ナット（蝶ナット）３３を螺合すると共に、横桁３０と後端擦込部１４ａとの間に、後端擦込部１４ａを下方に付勢する渦巻きバネ３２嵌装している。これによって、擦込板２８の後端擦込部１４ａを、上下位置変更自在に設定している。
【００２７】
この種籾直播機１０の作用について説明する。落水した田圃にトラクター１を走行させることによって、均平板２１で地表面Ｅを均一に均しながら、種籾Ｓを、種籾ホッパー１１から解放部Ｐ（地表面Ｅ）に落下させる。このとき、地表面Ｅは平らに均されているので、落下した種籾Ｓは凸凹のない水平面上に位置する。この状態から、擦込板２８で種籾Ｓをその上から擦り、当該種籾Ｓを地中に擂り込む。このとき、種籾Ｓは均平板２１によって平らに均された地表面Ｅに播かれ、かつ、擦込板２８によって均等な力で押されるので、地中に均一な深さで埋められる。これにより、水を張ったのち、押し込み量の不足による種籾Ｓの浮き上がりや、根上がり、或いは過度な押し込み量に基づく発芽不能が確実に避けられ、当該種籾Ｓは良好に発育することができる。
【００２８】
なお、本実施形態では、擦込板２８の後端擦込部１４ａを上下位置変更自在に設定している。従って、例えば、後端擦込部１４ａを上方に移動させたい場合は、調整ナット３３を時計回り方向へ回転させる。これによって縦ボルト３１は上昇し、それに伴い後端擦込部１４ａも撓みながら上昇する。逆に、後端擦込部１４ａを下方に移動させたい場合は、調整ナット３３を反時計回り方向へ回転させる。なお、縦ボルト３１の横桁３０と後端擦込部１４ａとの間には渦巻きバネ３２を嵌装しているので、その弾力で後端擦込部１４ａを常に充分な力で下方に押圧して、種籾Ｓを地中に確実に埋め込むことができる。
【００２９】
本発明に係る種籾直播機１０は、既存の田植機を改良して製作することができる。この場合、均平板２１と擦込板２８およびそれに付属する部材（横軸２９や横桁３０など）を、ボルトやナットなどの締結部材によって着脱自在に取付ける。また、種籾ホッパー１１は、既存の肥料ホッパーを使用する。これにより、農業機械への投資を大幅に削減することができる。
【００３０】
本発明に係る種籾直播機１０の第二実施形態を、図４乃至図６に示す。この種籾直播機１０は、稲の種籾Ｓを、落水した田圃に直播きするために、トラクターなどの農業用動力移動機２の後端部に取付けるものであり、同じく本発明に係る均平板装置２０と種籾ホッパー１１を備える。
【００３１】
均平板装置２０は、田圃の地表面Ｅを均すべく左右方向に設けられた均平板２１の後端部に複数（本実施形態では六つ）の切込み凹部２２を形成し、その各切込み凹部２２を囲むようにして平面コ字状の播種誘導枠２３を立設し、さらに、この播種誘導枠２３に、当該播種誘導枠２３を通して播かれた種籾Ｓを、上から擦って地中に埋込む擦込みシート２４を設けて構成される。なお、均平板２１は、中央部２１ａと本体部２１ｂとで構成し、少なくとも、中央部２１ａの一箇所と本体部２１ｂの二箇所に設けた連結部Ｃで、農業用動力移動機２（フロート３を含む）に連結する。
【００３２】
また、種籾ホッパー１１は、均平板２１の直上に設けられ、所定数の種籾Ｓを連続的に播種誘導枠２３内に供給する。この種籾ホッパー１１は、種籾Ｓをこぼすことなく播種誘導枠２３内に供給するための送りホース１２を備える。
【００３３】
この種籾直播機１０の作用について説明する。落水した田圃に農業用動力移動機（トラクター）２を走行させることによって、均平板２１で地表面Ｅを均一に均すと同時に水を排除しながら、種籾Ｓを、種籾ホッパー１１から播種誘導枠２３内を通して地表面Ｅに落下させる（通常、１ｍ２当たり１００粒程度）。このとき、地表面Ｅは、均平板２１によって平らに均され、かつ、水が排除されているので、落下した種籾Ｓは凸凹のない地表面Ｅ上に播かれる。また、種籾Ｓは、播種誘導枠２３によってガイドされるため、周囲に散らばることなく、所定の箇所に落下する。
【００３４】
この状態から、擦込みシート２４で種籾Ｓをその上から擦るようにして押圧して地中に埋め込む。このとき、種籾Ｓは均平板２１によって平らに均された地表面Ｅに播かれ、かつ、擦込みシート２４によって均等な力で押されるので、地中に均一な深さで埋め込まれる。これにより、種籾Ｓの浮き上がりや、根上がりが確実に防止され、当該種籾Ｓは良好に発育することができる。
【００３５】
なお、本実施形態における擦込みシート２４は、その前端部を播種誘導枠２３に左右に架設した第一支持軸２５で支持し、その中間部を同じく播種誘導枠２３に左右に架設した第二支持軸２６に、長さ調節自在の鎖片２７を介して支持している。こうして、擦込みシート２４の取付け姿勢を調整自在とし、種籾Ｓに対する押圧力を調整できるようにしている。
【００３６】
本発明に係る種籾直播移動装置１の実施形態を、図７に示す。これは、既存の田植機を利用したもので、その後端部に設けられているフロート３の下側に、本発明に係る種籾直播機１０の均平板２１を、ボルトやナットなどの締結部材によって着脱自在に取付けたものである。また、種籾ホッパー１１は、田植機の側条施肥機を利用して構成したものであり、そこから均平板２１に取付けた播種誘導枠２３へ種籾Ｓを落下させるようにしている。
【００３７】
この種籾直播移動装置１においても、その均平板装置２０のはたらきによって、播かれた種籾Ｓが、浮き上がりや根上がりを起こさない。また、この種籾直播移動装置１は、種籾直播機１０を、フロート３の下側に取付けるので、既存の田植機などを利用して容易に製造することができる。
【００３８】
なお、均平板装置２０は、上記した構成に代えて、次のような構成とすることができる。すなわち、図８乃至図１０に示すように、斜めに配置した擦込板２８の前上端部を、播種誘導枠２３に左右に水平に架設した支持棒３５で回動自在に支持し、その擦込板２８のほぼ中間部から縦棒３６を揺動自在に立設する。そして、縦棒３６の上部を、播種誘導枠２３に左右に架設した支持プレート３７の挿通孔３７ａに挿通する。また、縦棒３６の上端部に、ナットなどの挿通孔３７ａより大径の位置決め部材４０を取付け、擦込板２８の下限位置を設定することができる。
【００３９】
こうした構成において、擦込板２８を軽量な材料で肉薄に形成した場合には、その自重のみでは地表面Ｅを強く押圧することができないので、縦棒３６の、擦込板２８と支持プレート３７との間に、擦込板２８を下方に押圧するバネ材（渦巻きバネ）３８を嵌装すると良い。その逆に、擦込板２８が充分な重量を有している場合には、バネ材３８を設ける必要はない。
【００４０】
なお、本実施形態においては、種籾誘導枠２３の前壁に分散板３９を設けている。この分散板３９は、種籾誘導枠２３の左右幅を広く（１０ｃｍ程度）設定して、種籾誘導枠２３の前壁と支持棒３５との間に、種籾ホッパー１１から投入された種籾Ｓを四方へ分散して地表面Ｅに散在させた状態で播くためのものである。従って、種籾誘導枠の左右幅を狭く（３ｃｍ程度）に設定して、種籾Ｓを、直線状のいわゆるすじ播きする場合には、この分散板３９を設ける必要はない。
【００４１】
こうした構造の均平板装置２０は、本発明に係る種籾直播機１０や種籾直播移動装置１に取付けることができる。その場合、当該均平板装置２０の構造が簡素であるため、それら製品の製造コストを抑えることができる。
【００４２】
なお、本発明に係る均平板装置２０は、農業用動力移動機２のフロート３に取付けて種籾直播機１０および種籾直播移動装置１を構成することもできるし（図１参照）、また、フロート３を外した状態の農業用動力移動機２に取付けて種籾直播機１０および種籾直播移動装置１を構成することもできる（図４参照）。後者の場合、均平板２１がフロート３の役目を担う。
【図面の簡単な説明】
【００４３】
【図１】本発明に係る種籾直播機を農業用動力移動装置の１つであるトラクターに連結した状態を示す側面図である。
【図２】本発明に係る種籾直播機の第一実施形態を示す部分断面側面図である。
【図３】図２に示す種籾直播機の平面図である。
【図４】本発明に係る種籾直播機の第二実施形態を示す側面図である。
【図５】図４に示す種籾直播機の要部拡大側面断面図である。
【図６】図４に示す種籾直播機の要部拡大平面図である。
【図７】本発明に係る種籾直播移動装置を示す側面図である。
【図８】本発明に係る均平板装置の実施形態を示す要部側面断面図である。
【図９】図８に示す近辺板装置の平面図である。
【図１０】図８に示す均平板装置の背面図である。
【符号の説明】
【００４４】
１        種籾直播移動装置
２        農業用動力移動機
３        フロート
１０      種籾直播機
１１      種籾ホッパー
１２      送りホース
２０      均平板装置
２１      均平板
２１ａ    中央部
２１ｂ    本体部
２２      切込み凹部
２３      播種誘導枠
２４      擦込みシート
２５      第一支持軸
２６      第二支持軸
２７      鎖片
２８      擦込板
２８ａ    後端擦込部
２９      横軸
３０      横桁
３１      縦ボルト
３２      渦巻きバネ
３３      調整ナット
３４      支持部材
３５      支持棒
３６      縦棒
３７      支持プレート
３７ａ    挿通孔
３８      バネ材
３９      分散板
４０      位置決め部材
Ｃ        連結部
Ｅ        地表面
Ｐ        解放部
Ｓ        種籾
【図１】
2006042603.tif 000003
【図２】
2006042603.tif 000004
【図３】
2006042603.tif 000005
【図４】
2006042603.tif 000006
【図５】
2006042603.tif 000007
【図６】
2006042603.tif 000008
【図７】
2006042603.tif 000009
【図８】
2006042603.tif 000010
【図９】
2006042603.tif 000011
【図１０】
2006042603.tif 000012